(57)【要約】【課題】ＬＥＤ照明器具が天井に取り付けられた状態で、監視装置等の電気器具を後からの容易に取り付け可能とする。【解決手段】ＬＥＤ照明器具１００は、室内に面する第１面１２ａと、第１面１２ａの反対側であり、天井１０１に取り付けられる第２面１１ａとを有するベース１と、ベース１に設けられた、口金４２に対応する雌ねじ形状のソケット３１と、ベース１に取り付けられ、第１面１２ａを介して室内を照明するＬＥＤ２１と、ＬＥＤ２１およびソケット３１にそれぞれ給電する給電部５ａ，５ｂとを備える。【選択図】図１
2017091619.tif 000002
【特許請求の範囲】
【請求項１】
室内に面する第１面と、該第１面の反対側であり、天井に取り付けられる第２面とを有するベースと、
前記ベースに設けられた、口金に対応する雌ねじ形状のソケットと、
前記ベースに取り付けられ、前記第１面を介して室内を照明するＬＥＤと、
前記ＬＥＤおよび前記ソケットにそれぞれ給電する給電部と、を備えることを特徴とするＬＥＤ照明器具。
【請求項２】
請求項１に記載のＬＥＤ照明器具において、
前記ソケットは、前記ベースに複数設けられることを特徴とするＬＥＤ照明器具。
【請求項３】
請求項１または２に記載のＬＥＤ照明器具において、
前記ベースに対する前記ソケットの向きを変更可能な可動部をさらに備えることを特徴とするＬＥＤ照明器具。
【請求項４】
請求項１〜３のいずれか１項に記載のＬＥＤ照明器具において、
前記ソケットに螺合される口金を有する電気器具をさらに備えることを特徴とするＬＥＤ照明器具。
【請求項５】
請求項４に記載のＬＥＤ照明器具において、
前記電気器具は、
前記口金を有する筐体と、
前記筐体内に配置され、監視対象までの距離情報を取得するセンサ部と、
前記筐体内に配置され、前記センサ部から出力された信号に基づき監視対象までの距離の変化量を算出するとともに、該距離の変化量に基づいて監視対象の挙動を認識する処理を行う制御部とを有することを特徴とするＬＥＤ照明器具。
【請求項６】
請求項５に記載のＬＥＤ照明器具において、
前記電気器具は、前記筐体内に配置され、監視対象を撮影するカメラをさらに有することを特徴とするＬＥＤ照明器具。
【請求項７】
請求項５または６に記載のＬＥＤ照明器具において、
前記電気器具は、外部端末装置と無線通信可能な通信部をさらに有することを特徴とするＬＥＤ照明器具。
【請求項８】
請求項５〜７のいずれか１項に記載のＬＥＤ照明器具において、
前記センサ部は、監視対象までの距離情報とともに、監視対象から放射される赤外線の放射量を検出する赤外線カメラを有することを特徴とするＬＥＤ照明器具。
【発明の詳細な説明】
【技術分野】
【０００１】
本発明は、施設等の家屋の天井に取り付けられるＬＥＤ照明器具に関する。
【背景技術】
【０００２】
近年、施設等の家屋の天井に取り付けられる照明器具として、長寿命かつ省エネに優れた直管蛍光灯型ＬＥＤあるいはベース一体型ＬＥＤ等のＬＥＤ照明器具が普及している。ところで、施設等の天井には、入居者の安全管理を目的として、ベッド上に横たわる人物の状態を確認する監視装置が取り付けられることがある。例えば特許文献１記載の装置では、複数の距離センサが配置された筐体を天井に取り付け、距離センサを用いて、監視対象となる人物の有無および呼吸や体動の有無を判定する。
【先行技術文献】
【特許文献】
【０００３】
【特許文献１】特開２００３−２９０１５４号公報
【発明の概要】
【発明が解決しようとする課題】
【０００４】
しかしながら、天井にＬＥＤ照明器具が取り付けられた状態で、特許文献１記載のような装置を後から取り付ける場合、装置の取付け座や装置に給電するための電気工事等が必要となり、装置を取り付けるためのコストが上昇する。
【課題を解決するための手段】
【０００５】
本発明の一態様であるＬＥＤ照明器具は、室内に面する第１面と、第１面の反対側であり、天井に取り付けられる第２面とを有するベースと、ベースに設けられた、口金に対応する雌ねじ形状のソケットと、ベースに取り付けられ、第１面を介して室内を照明するＬＥＤと、ＬＥＤおよびソケットにそれぞれ給電する給電部と、を備えることを特徴とする。
【発明の効果】
【０００６】
本発明によれば、ＬＥＤが取り付けられたＬＥＤ照明器具のベースに、口金に対応したソケットを設けるので、ＬＥＤ照明器具が天井に取り付けられた状態で、口金を有する各種電気器具を後から容易に取り付けることができる。
【図面の簡単な説明】
【０００７】
【図１】本発明の実施形態に係るＬＥＤ照明器具の全体構成を示す斜視図。
【図２Ａ】図１のIIA-IIA線に沿った断面図。
【図２Ｂ】図１のIIB-IIB線に沿った断面図。
【図３Ａ】本発明の実施形態に係るＬＥＤ照明器具の家屋への適用例を示す平面図。
【図３Ｂ】本発明の実施形態に係るＬＥＤ照明器具の家屋への適用例を示す立面図。
【図４】図２Ａのソケットに取り付けられる電気器具としての監視センサ装置の構成を示す斜視図。
【図５】図２Ａのソケットに取り付けられる電気器具としての監視センサ装置の構成を示す断面図。
【図６】図４，５の監視センサ装置を構成する制御部の構成を示すブロック図。
【図７】本発明の実施形態に係るＬＥＤ照明器具の変形例を示す図。
【発明を実施するための形態】
【０００８】
以下、図１〜図７を参照して本発明の実施形態について説明する。図１は、本発明の実施形態に係るＬＥＤ照明器具１００の全体構成を示す斜視図であり、図２Ａおよび図２Ｂは、それぞれ図１のIIA-IIA線に沿った断面図および図１のIIB-IIB線に沿った断面図である。
【０００９】
なお、以下では、便宜上、図示のように３次元空間の互いに直交する３方向をそれぞれ前後方向、左右方向および上下方向と定義し、この定義に従い各部の構成を説明する。上下方向は、ＬＥＤ照明器具１００の高さに相当する。前後方向、左右方向のうち、一方（例えば左右方向）はＬＥＤ照明器具１００の長さ方向に、他方（例えば前後方向）はＬＥＤ照明器具１００の幅方向に相当する。ＬＥＤ照明器具１００の長さは幅よりも長い。
【００１０】
図１，２Ａ，２Ｂに示すように、ＬＥＤ照明器具１００は、家屋や施設の天井１０１に取り付けられるベース１を備える。ベース１は、例えば板状の金属によって構成され、互いに平行かつ前後左右方向に延在する略矩形状かつ板状の上板部１１および下板部１２と、上板部１１と下板部１２の左右両端部同士および前後両端部同士をそれぞれ接続する略矩形状かつ板状の側板部１３とを有する。上板部１１の長さと下板部１２の長さとは同一であるのに対し、上板部１１の幅は下板部１２の幅よりも長く、ベース１の外形は断面略台形形状を呈する。ベース１は、ＬＥＤ照明器具１００の筐体を構成するとともに、ベース１の内部に空間ＳＰを形成する。ＬＥＤ照明器具１００は、上板部１１の上面１１ａが天井１０１に取り付けられ、下板部１２の下面１２ａが室内に面して配置される。
【００１１】
図１に示すように、ベース１の下板部１２には、左右方向に離間して略矩形状の複数（図では３個）の第１貫通孔１４が開口されるとともに、隣り合う第１貫通孔１４の間に、それぞれ円形状の複数（図では２個）の第２貫通孔１５が開口される。図２Ｂに示すように、ベース１の下板部１２には、各々の第１貫通孔１４を塞ぐようにカバー１６が装着される。カバー１６は、透光性を有する樹脂材により構成される。
【００１２】
ベース１の上板部１１の下面１１ｂには、下方に向けて複数の支柱１７が突設され、支柱１７の先端部に基板２０が取り付けられる。基板２０の下面には、複数のＬＥＤ２１、例えば高輝度白色ＬＥＤが実装され、これによりカバー１６に面した空間ＳＰ内にＬＥＤ２１が配置される。基板２０は、図示しないコネクタを介して、天井１０１から延びる電源ケーブルに接続される。これによりＬＥＤ２１に所定電圧（例えば１００Ｖ）の電力が供給されてＬＥＤ２１が点灯し、室内が照明される。なお、インバータ回路を介して所定電圧まで昇圧した電力を、ＬＥＤ２１に供給することもできる。ＬＥＤ２１は、例えば壁面に設けられたスイッチ１１０（図６）のオンオフにより点消灯できる。
【００１３】
図２Ａに示すように、ベース１の第２貫通孔１５の上方において、上板部１１には台座１８が設けられる。台座１８には、下方に向けてフレキシブルアーム３２が突設され、フレキシブルアーム３２の先端部に略円筒形状のソケット３１が設けられる。これにより第２貫通孔１５に面した空間ＳＰ内にソケット３１が配置される。ソケット３１は、例えばＥ２６タイプの口金に対応した雌ねじ部を内周面に有する。フレキシブルアーム３２は、前後左右の任意の方向に屈曲可能であり、かつ、屈曲状態を保持できる管状の可撓性部材により構成される。これによりソケット３１の向きを手動で任意の方向に変更できる。
【００１４】
ソケット３１には、口金４２を有する各種電気器具４を着脱可能に取り付けることができる。ソケット３１は、フレキシブルアーム３２の内部を通るケーブルを介して、天井１０１から延びる電源ケーブルに接続される。これによりソケット３１が給電され、ソケット３１に接続された電気器具４に、所定電圧（例えば１００Ｖ）の電力を供給することができる。
【００１５】
図３Ａおよび図３Ｂは、それぞれ本実施形態に係るＬＥＤ照明器具１００の適用例を示す平面図および立面図であり、ＬＥＤ照明器具１００を介護施設の天井１０１に取り付けた例である。図３Ａ，３Ｂに示すように、施設の居室には２台のベッド１０２が左右方向に並べて設置され、各ベッド１０２にそれぞれ前後方向に向けて人物１０３が横たわっていると仮定する。このとき、ＬＥＤ照明器具１００は、例えば図３Ａに示すように人物１０３の足下側（ベッド１０２の前側）の天井１０１に取り付けられる。なお、ベッド１０２の前方には通路１０４が設けられ、通路１０４の端に扉１０５が設けられる。
【００１６】
図３Ｂに示すように、左右のソケット３１には、それぞれ電気器具４として監視センサ装置４０が取り付けられる。監視センサ装置４０は、ベッド１０２上の人物１０３の有無、呼吸や体動の有無等、人物１０３の挙動（状態）を認識するために用いられる。左右の監視センサ装置４０は、それぞれフレキシブルアーム３２を屈曲させて左右のベッド１０２に向けられ、左右の監視センサ装置４０により、それぞれ左右のベッド１０２上の人物１０３が監視される。
【００１７】
図４は、監視センサ装置４０の構成を示す斜視図であり、図５は、その断面図である。図４，５に示すように、監視センサ装置４０は、導電性の口金４２を有する筐体４１を備える。口金４２の外周面にはねじ部が形成される。ねじ部は、ＬＥＤ照明器具１００のソケット３１に螺合され、これにより監視センサ装置４０が、下方または斜め下方に向けて取り付けられる。以下、図４の取付状態を基準にして監視センサ装置４０の構成を説明する。図４では、監視センサ装置４０の中心軸ＣＬが鉛直方向に延びている。
【００１８】
筐体４１はアルミニウム等の金属により構成され、全体が略電球形状を呈する。すなわち、筐体４１は、上端部の口金４２から離れるに従い、つまり下方にいくに従い、中心軸ＣＬから筐体４１の外周面までの距離が増大し、中心軸ＣＬに対して対称に形成される。筐体４１の外周面には、スリット状に開口された放熱部４１ａが形成される。筐体４１の下端部は、円形状に開口される。この下端部には、例えば樹脂を構成材とした略円形状のカバー４３が取り付けられ、カバー４３により筐体４１の下端部が覆われる。
【００１９】
図５に示すように、筐体４１の内壁面にはフランジ部４１ｂが設けられる。フランジ部４１ｂには、中心軸ＣＬに対して垂直に延在する略円形状の支持プレート４４がボルト４４ａにより取り付けられる。支持プレート４４の下面には、複数の柱状の支持部４４ｂが突設され、支持部４４ｂを介してセンサユニット５０と、カメラ６０と、スピーカー７０と、マイク８０とがそれぞれ取り付けられる。これら筐体４１内の各電器部品には、口金４２を介して電力が供給される。
【００２０】
センサユニット５０は、例えば監視対象に向けて赤外線を照射し、その反射光を受光することで監視対象までの距離を検出する赤外線距離センサであり、赤外線の投光部５１と受光部５２とを有する。受光部５２は、所定帯域の赤外線が透過するレンズ部を有する赤外線カメラにより構成される。赤外線カメラは、監視対象までの距離だけでなく、監視対象から放射される赤外線を検出することもできる。
【００２１】
カメラ６０は、ＣＣＤ等の撮像素子を有し、動画および静止画を撮影可能な可視光カメラである。カメラ６０は、例えば監視カメラとして用いることができる。
【００２２】
スピーカー７０は、音の拡散を防止して所定範囲内の人物だけに音を伝える指向性スピーカーとすることが好ましい。マイク８０も指向性マイクとすることができる。図では、マイク８０をスピーカー７０と別体として構成しているが、スピーカー一体型のマイクとして構成してもよい。
【００２３】
図４に示すように、スピーカー７０は、監視センサ装置４０の径方向中央部に配置され、その周囲にセンサユニット５０（５１，５２）とカメラ６０とマイク８０とが互いに干渉しないように配置される。カバー４３には、センサユニット５０、カメラ６０、スピーカー７０およびマイク８０に対応した位置にそれぞれ貫通孔４３ａが開口される。
【００２４】
図５に示すように、支持プレート４４の上面には複数の柱状の支持部４４ｃが突設され、支持部４４ｃを介して基板９１が支持される。基板９１は、ＣＰＵ，ＲＯＭ，ＲＡＭ、その他の周辺回路などを有する演算処理装置を含んで構成されるコンピュータである。基板９１は、図示しないコネクタやケーブルを介して口金４２に接続される。また、基板９１には、支持プレート４４に設けられた不図示のスリットを通過するケーブル等を介して、センサユニット５０とカメラ６０とスピーカー７０とマイク８０とが接続される。基板９１および基板９１上の電子部品は制御部９０を構成する。
【００２５】
図６は、主に制御部９０（基板９１）の構成を示すブロック図である。制御部９０は、センサ制御部９２と、カメラ制御部９３と、音声制御部９４と、通信制御部９５とを有する。制御部９０には、口金４２と、センサユニット５０と、カメラ６０と、スピーカー７０と、マイク８０と、通信モジュール９６とが接続される。通信モジュール９６は送受信アンテナを含み、筐体４１内に配置される。通信モジュール９６は、口金４２を介して供給される電力により動作し、制御部９０と外部機器との無線通信を可能にする。
【００２６】
図６に示すように、電源ケーブルとの接続部である電源１１１からソケット３１に至る電気回路５ａと、電源１１１からＬＥＤ２１に至る電気回路５ｂとは互いに独立している。したがって、電気回路５ｂのスイッチ１１０をオフし、ＬＥＤ２１を消灯した状態で、口金４２を介して制御部９０および監視センサ装置４０の各電気部品（センサユニット５０等）に給電することができる。すなわち、ＬＥＤ２１の点消灯に拘らず、監視センサ装置４０を常に動作させることができる。
【００２７】
センサ制御部９２は、投光部５１から赤外線を照射し、かつ、受光部（赤外線カメラ）５２で赤外線を受光するようにセンサユニット５０の動作を制御するとともに、受光部５２からの信号に基づきセンサユニット５０から監視対象までの距離を算出する。さらに、単位時間当たりの距離の変化量を算出し、距離の変化量に基づいて監視対象の挙動を認識する処理を行う。この場合、受光部５２からの信号に基づき監視対象を特定するとともに監視対象に所定の領域を設定し、領域内のデータを抽出する。
【００２８】
より具体的には、まず、受光部５２で取得した監視対象までの距離情報に基づいて、監視対象たる人物の骨格（関節）を認識し、人物の骨格位置を特定する。次いで、その骨格位置に基づき人物の胸部の付近と顔の付近とにそれぞれ領域（胸部領域、顔領域）を設定し、以降、各領域における受光部５２の検出値を用いて人物の呼吸数と心拍数とを測定する。すなわち、胸部領域における単位時間あたりの距離の変化量に基づき、人物の呼吸数を算出する。また、受光部５２（赤外線カメラ）が検出した顔付近における赤外線の放出量の変化に基づき、人物の心拍数を算出する。制御部９０は、呼吸数と心拍数のいずれかが異常である場合、警報信号を発生するようにしてもよい。
【００２９】
カメラ制御部９３は、常時あるいは所定時間毎に人物を撮影するようにカメラ６０の動作を制御する。カメラ６０の画像信号は、通信モジュール９６を介して定期的に外部のメモリに送信され、画像データがメモリに記憶される。なお、所定時間毎に人物を撮影し、制御部９０が警報信号を発生した場合に、常時撮影するように撮影モードを切り換えてもよい。
【００３０】
音声制御部９４は、通信モジュール９６を介して外部機器から音声信号を入力し、この音声信号に対応した音声をスピーカー７０から出力させる処理を行う。さらに音声制御部９４は、マイク８０から入力された音声に対応した信号を、通信モジュール９６を介して外部機器に出力する処理を行う。
【００３１】
通信制御部９５は、制御部９０と外部機器とが無線通信するように通信モジュール９６を制御する。外部機器は例えば携帯端末（外部端末装置）であり、携帯端末と通信することで、監視センサ装置４０の各種設定および設定変更が容易に可能となる。
【００３２】
本実施形態によれば以下のような作用効果を奏することができる。
（１）ＬＥＤ照明器具１００は、室内に面する下面１２ａと、下面１２ａの反側であり、天井１０１に取り付けられる上面１１ａとを有するベース１と、ベース１に設けられた、口金４２に対応する雌ねじ形状のソケット３１と、ベース１に取り付けられ、下面１２ａを介して室内を照明するＬＥＤ２１と、ＬＥＤ２１およびソケット３１にそれぞれ給電する電気回路５ａ，５ｂとを備える（図２Ａ，２Ｂ，６）。
【００３３】
これにより、ＬＥＤ照明器具１００が天井１０１に取り付けられた状態で、口金を有する各種電気器具４を後から容易に取り付けることができる。すなわち、例えば介護施設等においては、ＬＥＤ照明器具１００が取り付けられた状態で、居住者を見守るための装置（監視センサ装置４０など）を後から天井１０１に取り付けることがある。この場合、監視センサ装置４０の口金４２をソケット３１に螺合するだけで、監視センサ装置４０の取付けおよび監視センサ装置４０への給電が可能となる。このため、監視センサ装置の取付け座を新たに設けたり、電気工事を行ったりする必要がなく、監視センサ装置４０の取り付け時のコストを削減できる。
【００３４】
（２）ベース１に複数のソケット３１を設けるので（図３Ｂ）、ベース１に複数の電気器具４を容易に取り付けることができる。したがって、例えば電気器具４として複数の監視センサ装置４０を取り付けることができ、この場合には、各監視センサ装置４０が異なる人物の動作を監視することができる。よって、居室に複数人が存在する介護施設等に好適に用いることができる。
【００３５】
（３）ＬＥＤ照明器具１００は、ベース１に対するソケット３１の向きを変更可能なフレキシブルアーム３２を有する。したがって、電気器具４の向きを任意の方向に容易に変更することができる。特に、ソケット３１に監視センサ装置４０を取り付ける場合には、監視センサ装置４０が人物１０３に向かうようにその向きを調整する必要があるが、本実施形態ではこれが容易である。
【００３６】
（４）ＬＥＤ照明器具１００は、ソケット３１に螺合される口金４２を有する電気器具４をさらに備える。これによりＬＥＤ照明とともに、電気器具４の種類に応じた各種機能を容易に提供することができる。
【００３７】
（５）電気器具４としての監視センサ装置４０は、口金４２を有する筐体４１と、筐体４１内に配置され、監視対象までの距離情報を取得するセンサユニット５０と、筐体４１内に配置され、センサユニット５０から出力された信号に基づき監視対象までの距離の変化量を算出するとともに、距離の変化量に基づいて監視対象の挙動を認識する処理を行う制御部９０とを有する。これにより監視センサ装置４０を構成する各部品が筐体４１内に配置されるため、監視センサ装置４０がユニット化され、装置全体を安価にかつコンパクトに構成することができる。センサユニット５０は監視対象までの距離の変化量を算出するので、監視センサ装置４０によれば、監視対象たる人物の有無や体動、呼吸数等を検出することが可能となる。
【００３８】
（６）監視センサ装置４０は、監視対象を撮影するカメラ６０をさらに有する。このため、例えば監視対象の挙動に異常があった場合に、その監視対象を常時監視することが可能となり、有用な情報を得ることができる。
【００３９】
（７）監視センサ装置４０は、外部端末装置と無線通信可能な通信モジュール９６をさらに有する。このため外部端末装置を介して監視センサ装置４０の設定変更等を容易に行うことができる。
【００４０】
（８）センサユニット５０は、監視対象までの距離情報とともに、監視対象から放射される赤外線の放射量を検出する赤外線カメラ（受光部５２）を有する。したがって、暗闇でも監視対象たる人物の監視が可能となるばかりか、人物の心拍数も検出することができる。
【００４１】
（変形例）
上記実施形態は以下のように種々の形態に変形することができる。上記実施形態では、ＬＥＤ照明器具１００をフラットな天井１０１に取り付けるようにしたが、例えば天井１０１に凹部を設け、ＬＥＤ照明器具をその凹部に取り付けるようにしてもよい。すなわち、ダウンライトの如く、ＬＥＤ照明器具を天井１０１に埋め込んで取り付けるようにしてもよい。図７は、その一例であるＬＥＤ照明器具１００Ａの構成を示す断面図である。なお、図１，２Ａ，２Ｂと同一の構成には同一の符号を付す。
【００４２】
図７に示すように、天井１０１には所定深さかつ所定形状（例えば円形状）の凹部１０１Ａが設けられる。凹部１０１Ａにはベース１Ａが挿入され、ベース１Ａの上板部１１の上面１１ａが天井１０１（凹部１０１Ａ）に取り付けられる。ベース１Ａの下面１２ａは、ベース１Ａの周囲の天井１０１と同一面上に位置する。ベース１Ａの上板部１１には、ＬＥＤ照明器具１００（図２Ａ）と同様、台座１８が取り付けられるとともに、フレキシブルアーム３２を介してソケット３１が設けられる。ソケット３１には、下板部１２の貫通穴１５を介して各種電気器具４を着脱可能に取り付けることができる。さらに、ベース１Ａの上板部１１には、ＬＥＤ照明器具１００（図２Ｂ）と同様、下方に向けて支柱１７が突設され、支柱１７の先端部に例えばリング状の基板２０が取り付けられる。基板２０の下面には、周方向等間隔に複数のＬＥＤ２１が実装される。なお、下板部１２は、ＬＥＤ２１からの光を透過するように透光性を有する材質によって構成することが好ましい。
【００４３】
上記実施形態（図１，２Ａ，２Ｂ）では、ベース１の断面を台形形状に形成したが、室内に面する第１面と、第１面の反対側であり、天井１０１に取り付けられる第２面とを有するのであれば、ベースの形状はいかなるものでもよい。例えば図７に示すように断面矩形状としてもよい。上記実施形態（図１，２Ａ，２Ｂ）では、ベース１の長さを幅よりも長くしたが、ベース１の長さと幅とを同一としてもよい。例えばベース全体を円筒形状として、周方向対称に構成してもよい。上記実施形態（図１，２Ａ，２Ｂ）では、長さ方向に３個の矩形状の第１貫通孔１４を開口するとともに、隣り合う第１貫通孔１４の間に計２個の円形状の第２貫通孔１５を開口したが、第１貫通孔１４と第２貫通孔１５の形状、個数、配置はこれに限らない。
【００４４】
上記実施形態（図２Ａ）では、ベース１の下板部１２に第２貫通孔１５を開口し、上板部１１からソケット３１を支持するようにしたが、第２貫通孔１５を省略し、下板部１２からソケット３１を支持するようにしてもよい。すなわち、ベース１に設けられるのであれば、口金４２に対応する雌ねじ形状のソケット３１をいかにして設けてもよい。電気器具４に給電するとともに電気器具４を支持できるのであれば、ソケット３１の型式はいかなるものでもよい。
【００４５】
上記実施形態（図２Ｂ）では、上板部１１から支持した基板２０にＬＥＤ２１を実装するようにしたが、下面１２ａ（第１面）を介して室内を照明するようにベース１に取り付けられるのであれば、ＬＥＤ２１の取付け形態は上述したものに限らない。ＬＥＤ２１を壁面のスイッチ１１０でオンオフするようにしたが、スイッチ１１０を常時オンした状態で、リモコンスイッチの操作によりオンオフするようにしてもよい。
【００４６】
上記実施形態（図６）では、互いに独立した電気回路５ａ，５ｂを介してＬＥＤ２１とソケット３１とにそれぞれ給電するようにしたが、給電部の構成はこれに限らない。例えば電気器具４に常時給電する必要がない場合、ＬＥＤ２１とソケット３１への給電をスイッチ１１０で同時にオンオフさせるように電気回路を構成してもよい。また、電気器具４に常時給電する必要があっても、上述したようにリモコンスイッチでＬＥＤ２１をオンオフさせる場合には、通常、スイッチ１１０を操作する必要がないため、ＬＥＤ２１とソケット３１への給電をスイッチ１１０で同時にオンオフさせるように電気回路を構成してもよい。
【００４７】
上記実施形態（図２Ａ）では、フレキシブルアーム３２を介してソケット３１を支持し、ベース１に対するソケット３１の向きを手動で変更するようにたが、可動部の構成はこれに限らない。例えば電動モータ等のアクチュエータを有する支持部を介してベース１からソケット３１を支持し、リモコン操作によりアクチュエータを駆動してソケット３１の向きを調整するようにしてもよい。
【００４８】
上記実施形態（図３Ｂ）では、ソケット３１に監視センサ装置４０を取り付けるようにしたが、口金を有する他の電気器具４を取り付けるようにしてもよい。例えば電気器具４として、電球型の空気清浄機やスピーカー等を取り付けることもできる。ソケット３１にＬＥＤ電球を取り付けて、照度を高めるようにしてもよい。バッテリ（充電部）を内蔵した電気器具４をソケット３１に取り付けるようにしてもよい。これにより例えばスイッチ１１０のオフ時にソケット３１に給電されなくなっても、バッテリに蓄電された電力により電気器具４を動作させることができる。
【００４９】
上記実施形態（図４）では、監視センサ装置４０の筐体４１内に、センサユニット５０（センサ部）と、カメラ６０と、スピーカー７０と、マイク８０と、制御部９０と、通信モジュール９６（通信部）とを配置したが、これらの配置は一例であり、これら全てを筐体４１内に配置する必要はない。すなわち、少なくともセンサユニット５０と制御部９０とを筐体４１内に配置するのであれば、センサユニット５０により得られた距離情報に基づき監視対象の挙動を認識することが可能となり、監視センサ装置４０としての機能が得られる。よって、センサユニット５０と制御部９０以外の部品を省略してもよく、筐体４１内における各部品の配置は上述したものに限らない。筐体４１内に、口金４２を介して供給される電力を充電するバッテリを配置するようにしてもよい。
【００５０】
上記実施形態（図４）では、センサユニット５０として赤外線カメラ（受光部５２）を用いたが、口金４２を介して供給される電力により動作し、監視対象までの距離情報を取得するセンサ部の構成はこれに限らず、例えば赤外線距離計に代えてレーザー距離計を用いてもよい。したがって、制御部９０は、口金４２を介して供給される電力により動作し、センサ部からの信号に基づき監視対象までの距離の変化量を算出するとともに、距離の変化量に基づいて監視対象の挙動を認識する処理を少なくとも行えばよく、必ずしも心拍数まで算出する必要はない。
【００５１】
上記実施形態では、監視センサ装置４０の筐体４１内に通信モジュール９６を配置したが、口金４２を介して供給される電力により動作し、外部端末装置と無線通信を可能にするのであれば、通信部の構成はいかなるものでもよい。また、上記実施形態では、筐体４１内に可視光カメラ６０を配置したが、口金４２を介して供給される電力により動作し、監視対象を撮影するのであればカメラの構成はこれに限らない。上記実施形態では、介護施設の天井１０１にＬＥＤ照明器具１００を取り付ける例を説明したが、本発明のＬＥＤ照明器具は介護施設以外の天井にも同様に取り付けることができる。
【００５２】
以上の説明はあくまで一例であり、本発明の特徴を損なわない限り、上述した実施形態および変形例により本発明が限定されるものではない。上記実施形態および変形例の構成要素には、発明の同一性を維持しつつ置換可能かつ置換自明なものが含まれる。すなわち、本発明の技術的思想の範囲内で考えられる他の形態についても、本発明の範囲内に含まれる。また、上記実施形態と変形例の１つまたは複数、または変形例同士を任意に組み合わせることも可能である。
【符号の説明】
【００５３】
１，１Ａ  ベース、４  電気器具、５ａ，５ｂ  電気回路、１１ａ  上面、１２ａ  下面、２１  ＬＥＤ、３１  ソケット、３２  フレキシブルアーム、４０  監視センサ装置、４２  口金、１００，１００Ａ  ＬＥＤ照明器具
【図１】
2017091619.tif 000003
【図２Ａ】
2017091619.tif 000004
【図２Ｂ】
2017091619.tif 000005
【図３Ａ】
2017091619.tif 000006
【図３Ｂ】
2017091619.tif 000007
【図４】
2017091619.tif 000008
【図５】
2017091619.tif 000009
【図６】
2017091619.tif 000010
【図７】
2017091619.tif 000011